(57)【特許請求の範囲】
【請求項１】
赤色発光ダイオード、緑色発光ダイオード及び青色発光ダイオードからなるフルカラー用ヘッドランプの発光色制御装置であって、
直流電源部と、
前記直流電源部に接続され前記直流電源部から前記各発光ダイオードに供給される電流をそれぞれ個別に制御するスイッチング部と、
前記ヘッドランプの発光色を決めるために前記各発光ダイオードの発光強度を前記各発光ダイオードごとに設定する発光強度データ設定手段と、
前記発光強度データ設定手段で設定された前記各発光ダイオードの発光強度データによりパルス幅変調されたパルス信号を生成し該パルス信号により前記スイッチング部をスイッチング制御する信号発生部と、
対向車の存在を検知する画像センサー及び対向車のヘッドライトの照度を検知する照度センサーの少なくとも一方と、を備え、
前記発光強度データ設定手段は、前記画像センサーの対向車の存在を検知し及び／または前記照度センサーが対向車のヘッドライトの照度を検知した際は、前記画像センサーの検知情報及び／または前記照度センサーの検知情報に基づいて前記各発光ダイオードの発光強度データを前記ヘッドランプの発光色とターンシグナルランプの発光色とが融合されない発光色となるように設定する、
ことを特徴とするヘッドランプの発光色制御装置。
【請求項２】
雨滴センサーが設けられ、前記発光強度データ設定手段は、前記雨滴センサーが雨滴を検知した時の検知情報に基づいて前記各発光ダイオードの発光強度データを前記ヘッドランプの発光色が雨天に適合する発光色となるように設定することを特徴とする請求項１記載のヘッドランプの発光色制御装置。
【請求項３】
日射センサー及び雨滴センサーが設けられ、前記発光強度データ設定手段は、前記日射センサーからの日射検知情報及び前記雨滴センサーからの雨滴検知情報がない時に前記各発光ダイオードの発光強度データを前記ヘッドランプの発光色が夜間晴天に適合する発光色となるように設定することを特徴とする請求項１記載のヘッドランプの発光色制御装置。
【請求項４】
車両の所有者以外の不正者の接近もしくは侵入を検知する侵入センサーが設けられ、前記発光強度データ設定手段は、前記侵入センサーが車両の所有者以外の不正者の侵入を検知した際は、前記侵入センサーの検知情報に基づいて前記各発光ダイオードの発光強度データを前記ヘッドランプの発光色が不正侵入者に対して威嚇感を強める発光色となるように設定することを特徴とする請求項１乃至３に何れか１項記載のヘッドランプの発光色制御装置。
【請求項５】
前記侵入センサーは、車両の傾斜を検知する傾斜センサー、車両の振動を検知する振動センサー、不正者の接近もしくは侵入を検知する超音波センサー及び画像センサーの何れかであることを特徴とする請求項４記載のヘッドランプの発光色制御装置。
【請求項６】
ナビゲーションユニットが設けられ、前記発光強度データ設定手段は、前記ナビゲーションユニットに表示された車両の仕向け地情報に基づいて前記各発光ダイオードの発光強度データを前記ヘッドランプの発光色が車両の仕向け地に適合する発光色となるように設定することを特徴とする請求項１乃至５に何れか１項記載のヘッドランプの発光色制御装置。
【発明の詳細な説明】
【技術分野】
【０００１】
本発明は、赤、緑、青をそれぞれ発色する３つのＬＥＤを有するフルカラー用ヘッドランプの発光色制御装置に関する。
【背景技術】
【０００２】
近年のＬＥＤ（発光ダイオード）は、その性能が急速に向上するとともに明るさにおいても十分に使用できる輝度で発光できるようになってきた。これに伴い、タングステンを発光体とする電球、あるいは、ネオン、アルゴンまたはキセノンなどのガスを封入した放電灯に代えて、ＬＥＤにより構成された照明ランプが出現してきている（特許文献１参照）。
そして、この種の照明ランプは、小型軽量で省電力及び長寿命化が可能であることから、自動車のヘッドランプとして利用されるようになってきている（特許文献２参照）。
【先行技術文献】
【特許文献】
【０００３】
【特許文献１】特開２００３−５９３３５号公報
【特許文献２】特開２００６−３４７３４４号公報
【発明の概要】
【発明が解決しようとする課題】
【０００４】
ところで、自動車に使用されるヘッドランプの発光色の色味は法規で定められているが、この法規で許可されている範囲内でその色味が有効に活用されていないのが現状である。法規で許可されている範囲内でヘッドランプの発光色の色味を変えれば、自動車の運転環境や車両状況に見合った安全性や快適性を確保することができる。
しかしながら、従来のＬＥＤからなるヘッドランプの多くは白色の単色光であるため、発光色の色味を運転環境や車両状況に合わせて変化させることができない。
すなわち、法規で許可されている範囲内でヘッドランプの発光色の色味を有効に活用することができない。
本発明は、上記のような点に鑑みなされたもので、法規で許可されている範囲内で発光色の色味を有効に活用できるヘッドランプの発光色制御装置を提供することを目的とする。
【課題を解決するための手段】
【０００５】
上記目的を達成するために本発明は、赤色発光ダイオード、緑色発光ダイオード及び青色発光ダイオードからなるフルカラー用ヘッドランプの発光色制御装置であって、直流電源部と、前記直流電源部に接続され前記直流電源部から前記各発光ダイオードに供給される電流をそれぞれ個別に制御するスイッチング部と、前記ヘッドランプの発光色を決めるために前記各発光ダイオードの発光強度を前記各発光ダイオードごとに設定する発光強度データ設定手段と、前記発光強度データ設定手段で設定された前記各発光ダイオードの発光強度データによりパルス幅変調されたパルス信号を生成し該パルス信号により前記スイッチング部をスイッチング制御する信号発生部と、対向車の存在を検知する画像センサー及び対向車のヘッドライトの照度を検知する照度センサーの少なくとも一方と、を備え、前記発光強度データ設定手段は、前記画像センサーの対向車の存在を検知し及び／または前記照度センサーが対向車のヘッドライトの照度を検知した際は、前記画像センサーの検知情報及び／または前記照度センサーの検知情報に基づいて前記各発光ダイオードの発光強度データを前記ヘッドランプの発光色とターンシグナルランプの発光色とが融合されない発光色となるように設定する、ことを特徴とする。
【発明の効果】
【０００６】
本発明によれば、ヘッドランプの発光色を車両の運転環境や車両状況にあった色味にすることができ、ヘッドランプの発光色の色味を法規で許可されている範囲内で有効に活用する上で有利となる。
【図面の簡単な説明】
【０００７】
【図１】本発明にかかるヘッドランプの発光色制御装置の全体の構成を示すブロック図である。
【図２】本発明にかかるヘッドランプの発光色の一例を示す説明図である。
【発明を実施するための形態】
【０００８】
以下、本発明にかかるヘッドランプの発光色制御装置の実施の形態について図面を参照して詳細に説明する。
図１に示すように、ヘッドランプ１２は赤色光で発光する赤色発光ダイオード１２０２と、緑色光で発光する緑色発光ダイオード１２０４と、青色光で発光する青色発光ダイオード１２０６とからなるフルカラー用ヘッドランプである。これら各発光ダイオードは、石英などの透明バルブ（図示省略）内に封入されている。
このようなヘッドランプの発光色制御装置は、直流電源部１４、スイッチング部１００、信号発生部２００、発光強度データ設定手段を構成するマイクロコンピュータ２２を含んで構成されている。
本実施の形態の発光色制御装置は、さらに、ヘッドランプ１２に対し発光色指令信号の基となる各種のセンサー、すなわち、雨滴センサー３０、日射センサー３２、侵入センサー３４、画像センサー３６、照度センサー３８及びナビゲーションユニット４０などを含んで構成される。
【０００９】
スイッチング部１００は、赤色用スイッチング部１６、緑色用スイッチング部１８、青色用スイッチング部２０を含んで構成されている。
スイッチング部１００は、各発光ダイオードに供給される電流をそれぞれ個別に制御する。
信号発生部２００は、赤色用パルス信号発生部２４、緑色用パルス信号発生部２６、青色用パルス信号発生部２８を含んで構成されている。
信号発生部２００は、各発光ダイオード用の発光強度データによりパルス幅変調されたパルス信号を生成し該パルス信号によりスイッチング部１００をスイッチング制御する。
直流電源部１４は、例えばバッテリや発電機から供給される電圧をヘッドランプ１２の点灯に必要なレベルのＤＣ電圧に変換するコンバータ及びコンバータの出力電圧を平滑化するフィルタなどから構成されている。
【００１０】
赤色用スイッチング部１６は、直流電源部１４に接続され、直流電源部１４から赤色発光ダイオード１２０２に供給される電流を制御するものである。
緑色用スイッチング部１８は、直流電源部１４に接続され、直流電源部１４から緑色発光ダイオード１２０４に供給される電流を制御するものである。
青色用スイッチング部２０は、直流電源部１４に接続され、直流電源部１４から青色発光ダイオード１２０６に供給される電流を制御するものである。
これらスイッチング部１６、１８、２０は、トランジスタやＭＯＳＦＥＴなどの半導体スイッチング素子から構成される。
【００１１】
赤色用スイッチング部１６と赤色発光ダイオード１２０２との間にはコイルＬ２が接続されている。
緑色用スイッチング部１８と緑色発光ダイオード１２０４との間にはコイルＬ４が接続されている。
青色用スイッチング部２０と青色発光ダイオード１２０６との間にはコイルＬ６が接続されている。
各スイッチング部１６、１８、２０がオンすることによって各信号発生部２４、２６、２８と各ダイオード１２０２、１２０４、１２０６とがそれぞれ導通され、これにより各ダイオード１２０２、１２０４、１２０６が点灯する。
【００１２】
マイクロコンピュータ２２は、ＣＰＵ２２０２と、バスライン２２０４を介して接続されたＲＯＭ２２０６、ＲＡＭ２２０８及び入力インターフェース２２１０、出力インターフェース２２１２などを含んで構成されている。
ＲＯＭ２２０６はＣＰＵ２２０２が実行する発光強度データ設定プログラムなどを格納し、ＲＡＭ２２０８はヘッドランプ１２の発光色に応じて赤色発光ダイオード１２０２、緑色発光ダイオード１２０４及び青色発光ダイオード１２０６に対する通電時間、すなわち、パルス幅変調されたパルス信号のデューティー比を決める設定テーブルなどを格納するワーキングエリアを提供する。
【００１３】
前記設定テーブルの一例を図２に示す。
この図２において、ヘッドランプ１２を白色に点灯する場合は、例えば、赤色発光ダイオード１２０２に対するパルス信号のデューティー比を１００％、緑色発光ダイオード１２０４に対するパルス信号のデューティー比を１００％、青色発光ダイオード１２０６に対するパルス信号のデューティー比を１００％にそれぞれ設定する。
また、ヘッドランプ１２を青白色に点灯する場合は、例えば、赤色発光ダイオード１２０２に対するパルス信号のデューティー比を９３％、緑色発光ダイオード１２０４に対するパルス信号のデューティー比を１００％、青色発光ダイオード１２０６に対するパルス信号のデューティー比を１００％にそれぞれ設定する。
また、ヘッドランプ１２を薄い黄色に点灯する場合（雨天時）は、例えば、赤色発光ダイオード１２０２に対するパルス信号のデューティー比を１００％、緑色発光ダイオード１２０４に対するパルス信号のデューティー比を１００％、青色発光ダイオード１２０６に対するパルス信号のデューティー比を８３％にそれぞれ設定する。
さらに、ヘッドランプ１２を赤色に点灯する場合（侵入警報）は、例えば、赤色発光ダイオード１２０２に対するパルス信号のデューティー比を１００％、緑色発光ダイオード１２０４に対するパルス信号のデューティー比を２１％、青色発光ダイオード１２０６に対するパルス信号のデューティー比を５８％にそれぞれ設定する。
また、ヘッドランプ１２を濃い黄色に点灯する場合（不正侵入者への威嚇）は、例えば、赤色発光ダイオード１２０２に対するパルス信号のデューティー比を１００％、緑色発光ダイオード１２０４に対するパルス信号のデューティー比を１００％、青色発光ダイオード１２０６に対するパルス信号のデューティー比を４０％にそれぞれ設定する。
また、ヘッドランプ１２を薄い紫色に点灯する場合（車両の視認性向上）は、例えば、赤色発光ダイオード１２０２に対するパルス信号のデューティー比を９３％、緑色発光ダイオード１２０４に対するパルス信号のデューティー比を８６％、青色発光ダイオード１２０６に対するパルス信号のデューティー比を９９％にそれぞれ設定する。
【００１４】
なお、本実施の形態において、赤色発光ダイオード１２０２、緑色発光ダイオード１２０４及び青色発光ダイオード１２０６に対するパルス信号のデューティー比は、図２に示す数値のものに限定されるものではない。
各発光ダイオードに対するパルス信号のデューティー比は、ヘッドランプ１２の発光色を車両の運転環境、例えば季節、天候、仕向け地、または車両の状況などに応じて自由に変更することができる。
【００１５】
入力インターフェース２２１０は、雨滴センサー３０、日射センサー３２、侵入センサー３４、画像センサー３６及び照度センサー３８などとの間で信号の授受を行う。
出力インターフェース２２１２は、後述する赤色用パルス信号発生部２４、緑色用パルス信号発生部２６及び青色用パルス信号発生部２８との間で信号、データの授受を行う。
そして、ＣＰＵ２２０２が前記発光強度データ設定プログラムを実行することにより、発光強度データ設定手段が実現される。
この発光強度データ設定手段は、ヘッドランプ１２の発光色を決めるために、前記の設定テーブルに基づいて赤色発光ダイオード１２０２、緑色発光ダイオード１２０４及び青色発光ダイオード１２０６の発光強度を発光ダイオードごとに設定するものである。
無論、発光強度データ設定手段の一部あるいは全てを回路等のハードウェアで構成してもよい。
【００１６】
赤色用パルス信号発生部２４は、前記発光強度データ設定手段で設定された赤色発光ダイオード１２０２用の発光強度データに従ってパルス幅変調されたパルス信号を生成し、このパルス信号により赤色用スイッチング部１６をスイッチング制御するものである。
緑色用パルス信号発生部２６は、前記発光強度データ設定手段で設定された緑色発光ダイオード１２０４用の発光強度データに従ってパルス幅変調されたパルス信号を生成し、このパルス信号により緑色用スイッチング部１８をスイッチング制御するものである。
青色用パルス信号発生部２８は、前記発光強度データ設定手段で設定された青色発光ダイオード１２０６用の発光強度データに従ってパルス幅変調されたパルス信号を生成し、このパルス信号により青色用スイッチング部２０をスイッチング制御するものである。
【００１７】
雨滴センサー３０は、雨天時における雨滴を検知し、この検知情報は雨天時の発光色指令信号としてマイクロコンピュータ２２に取り込まれる。
日射センサー３２は、夜間晴天時に日射がないことを検知し、この検知情報は夜間晴天時の発光色指令信号としてマイクロコンピュータ２２に取り込まれる。さらに、雨滴センサー３０からの雨滴検知情報がない時の情報は夜間晴天時の発光色指令信号としてマイクロコンピュータ２２に取り込まれる。
侵入センサー３４は、車両の傾斜を検知する傾斜センサー、車両の振動を検知する振動センサー、不正者の接近もしくは侵入を検知する超音波センサー及び画像センサーの何れかで構成され、これらセンサーによる検知情報は不正者の接近もしくは侵入時の発光色指令信号としてマイクロコンピュータ２２に取り込まれる。
画像センサー３６は対向車両の存在を検知し、そして、照度センサー３８は対向車のヘッドライトの照度を検知し、これら両方の検知情報は対向車両に対する発光色指令信号としてマイクロコンピュータ２２に取り込まれる。
ナビゲーションユニット４０は、これに表示された車両の仕向け地情報、例えば国別や地域などの車両の存在場所情報を提供し、この情報は仕向け地における発光色指令信号としてマイクロコンピュータ２２に取り込まれる。
【００１８】
次に、ヘッドランプの発光色制御装置の動作について説明する。
雨天時におけるヘッドランプ１２の発光色制御について説明する。
この場合、雨滴センサー３０が雨滴を検知すると、その検知情報が雨天時の発光色指令信号として、入力インターフェース２２１０を通してＣＰＵ２２０２に取り込まれる。
これに伴い、マイクロコンピュータ２２は、雨滴検知情報をポインタとして前記の設定テーブルを参照しながら、各発光ダイオード１２０２、１２０４、１２０６に対する各発光強度データをヘッドランプ１２の発光色が雨天に適合する発光色となるように設定する。
例えば、図２に示すように、赤色発光ダイオード１２０２に対するパルス信号のデューティー比を１００％、緑色発光ダイオード１２０４に対するパルス信号のデューティー比を１００％、青色発光ダイオード１２０６に対するパルス信号のデューティー比を８３％になるように設定する。
【００１９】
このように設定された各発光強度データが出力インターフェース２２１２を通して、対応する各パルス信号発生部２４、２６、２８に供給される。すると、各パルス信号発生部２４、２６、２８からは、それぞれの発光強度データでパルス幅変調されたデューティー比のパルス信号が出力される。
これらの各パルス信号を、対応する各スイッチング部１６、１８、２０に加えて、これら各スイッチング部を前記デューティー比でスイッチング動作させる。
これにより、各発光ダイオード１２０２、１２０４、１２０６に電流が流れ、これら発光ダイオードを前記デューティー比に応じた発光強度で発光させる。
これに伴い、ヘッドランプ１２は、雨天に適合する発光色、例えば薄い黄色に発光させることができる。これにより、雨天時における車両の安全は運転環境を確保することができる。
【００２０】
次に、夜間晴天時におけるヘッドランプ１２の発光色制御について説明する。
この場合、日射センサー３２が夜間晴天時に日射がないことを検知し、この検知情報が夜間晴天時の発光色指令信号として、入力インターフェース２２１０を通してＣＰＵ２２０２に取り込まれる。
さらに、雨滴センサー３０からの雨滴検知情報がない時の情報は夜間晴天時の発光色指令信号として、入力インターフェース２２１０を通してＣＰＵ２２０２に取り込まれる。
これに伴い、マイクロコンピュータ２２は、日射センサー３２及び雨滴センサー３０の検知情報をポインタとして前記の設定テーブルを参照しながら、各発光ダイオード１２０２、１２０４、１２０６に対する各発光強度データをヘッドランプ１２の発光色が夜間晴天時に適合する発光色となるように設定する。
例えば、図２に示すように、赤色発光ダイオード１２０２に対するパルス信号のデューティー比を１００％、緑色発光ダイオード１２０４に対するパルス信号のデューティー比を１００％、青色発光ダイオード１２０６に対するパルス信号のデューティー比を４０％になるように設定する。
【００２１】
このように設定された各発光強度データが出力インターフェース２２１２を通して、対応するそれぞれの各パルス信号発生部２４、２６、２８に供給される。すると、各パルス信号発生部２４、２６、２８からは、それぞれの発光強度データでパルス幅変調されたデューティー比のパルス信号が出力される。
これらの各パルス信号を、対応する各スイッチング部１６、１８、２０に加えて、これら各スイッチング部を前記デューティー比でスイッチング動作させる。
これにより、各発光ダイオード１２０２、１２０４、１２０６に電流が流れ、これら発光ダイオードを前記デューティー比に応じた発光強度で発光させる。
これに伴い、ヘッドランプ１２は、夜間晴天時に適合する発光色、例えば薄い青色に発光させることができる。これにより、夜間晴天時における車両の安全は運転環境を確保することができると共に、スタイリッシュさを強調できる。
【００２２】
次に、車両への不正侵入時におけるヘッドランプ１２の発光色制御について説明する。
この場合、侵入センサー３４が不正者の接近もしくは侵入を検知し、この検知情報が不正侵入時の発光色指令信号として、入力インターフェース２２１０を通してＣＰＵ２２０２に取り込まれる。
これに伴い、マイクロコンピュータ２２は、前記侵入センサー３４の検知情報をポインタとして前記の設定テーブルを参照しながら、各発光ダイオード１２０２、１２０４、１２０６に対する各発光強度データをヘッドランプ１２の発光色が不正侵入時に適合する発光色となるように設定する。
例えば、図２に示すように、赤色発光ダイオード１２０２に対するパルス信号のデューティー比を１００％、緑色発光ダイオード１２０４に対するパルス信号のデューティー比を２１％、青色発光ダイオード１２０６に対するパルス信号のデューティー比を５８％になるように設定する。
【００２３】
このように設定された各発光強度データが出力インターフェース２２１２を通して、対応するそれぞれの各パルス信号発生部２４、２６、２８に供給される。すると、各パルス信号発生部２４、２６、２８からは、それぞれの発光強度データでパルス幅変調されたデューティー比のパルス信号が出力される。
これらの各パルス信号を、対応する各スイッチング部１６、１８、２０に加えて、これら各スイッチング部を前記デューティー比でスイッチング動作させる。これにより、各発光ダイオード１２０２、１２０４、１２０６に電流が流れ、これら発光ダイオードを前記デューティー比に応じた発光強度で発光させる。これに伴い、ヘッドランプ１２を、不正侵入時に適合する発光色、例えば赤色に点灯し、または点滅させる。これにより、不正侵入する不審者への威嚇感を強めることができる。
【００２４】
次に、上記侵入センサー３４で検知した侵入情報に加えて、侵入センサー３４を構成する画像センサーによる不審者の感知情報を用いた場合におけるヘッドランプ１２の発光色制御について説明する。
この場合、不審者侵入の発光色指令信号としてＣＰＵ２２０２に取り込むことにより、色発光ダイオード１２０２、緑色発光ダイオード１２０４及び青色発光ダイオード１２０６に対する各発光強度データを設定する。
例えば、図２に示すように、赤色発光ダイオード１２０２に対するパルス信号のデューティー比を１００％、緑色発光ダイオード１２０４に対するパルス信号のデューティー比を１００％、青色発光ダイオード１２０６に対するパルス信号のデューティー比を４０％になるように設定する。
そして、上記デューティー比のパルス信号を各パルス信号発生部２４、２６、２８から出力し、これに対応する各スイッチング部１６、１８、２０をスイッチング動作させて各発光ダイオード１２０２、１２０４、１２０６をそれぞれ発光させれば、ヘッドランプ１２を、例えば濃い黄色に点灯し、または点滅させることができる。これにより、不正侵入する不審者に注意を喚起させることができる。
【００２５】
次に、対向車両の運転者から目視した場合における自車両のターンシグナルの視認性を高める場合のヘッドランプ１２の発光色制御について説明する。
自車両のヘッドランプ１２の発光色が自車両の前部左右に設けられたターンシグナルランプ（方向指示ランプ）の発光色に近い色味（例えば黄色）であると、ヘッドランプ１２の発光色とターンシグナルランプの発光色とが融合され、対向車両の運転者が自車両のヘッドランプ１２とターンシグナルとを見分けることが困難となるおそれがある。
そこで、次のように自車両のヘッドランプ１２の発光色制御を行うことが好ましい。
すなわち、画像センサー３６が対向車両の存在を検知し、この検知情報は対向車両に対する発光色指令信号として入力インターフェース２２１０を通してＣＰＵ２２０２に取り込まれる。
さらに、照度センサー３８が対向車のヘッドライトの照度を検知し、この検知情報も対向車両に対する発光色指令信号として入力インターフェース２２１０を通してＣＰＵ２２０２に取り込まれる。
そして、これら両方の検知情報をポインタとして前記の設定テーブルを参照しながら、各発光ダイオード１２０２、１２０４、１２０６に対する各発光強度データをヘッドランプ１２の発光色が、対向車両の運転者から目視した場合における自車両のターンシグナルの視認性を向上できる発光色となるように設定する。
【００２６】
このように設定された各発光強度データが出力インターフェース２２１２を通して、対応するそれぞれの各パルス信号発生部２４、２６、２８に供給される。すると、各パルス信号発生部２４、２６、２８からは、それぞれの発光強度データでパルス幅変調されたデューティー比のパルス信号が出力される。
これらの各パルス信号を、対応する各スイッチング部１６、１８、２０に加えて、これら各スイッチング部を前記デューティー比でスイッチング動作させる。
これにより、各発光ダイオード１２０２、１２０４、１２０６を前記デューティー比に応じた発光強度で発光させる。
これに伴い、ヘッドランプ１２をターンシグナルの視認性を向上できる色味に点灯させる。これにより、対向車両の有無を判定できる。
そして、対向車両があると判定された場合は、ターンシグナルランプが点灯状態にあり、かつ車両が停止または車両が１６ｋｍ以下で走行している状態にあるときに、自車両のヘッドランプ１２の発光色を、対向車両の運転者から目視した場合における自車両のターンシグナルの視認性を向上できる発光色、例えば薄い紫色に点灯する。言い換えると、自車両のヘッドランプ１２の発光色を、自車両のターンシグナルランプの色味が自車両のヘッドランプ１２の色味に融合されることない発光色に点灯する。これにより、ターンシグナルの視認性を向上することができる。
【００２７】
車両の仕向け地に合わせたヘッドランプ１２の発光色制御に際しては、ナビゲーションユニット４０に表示された車両の仕向け地情報（国別や地域などの車両の存在場所など）を仕向け地における発光色指令信号として入力インターフェース２２１０を通してＣＰＵ２２０２に取り込む。
そして、この情報をポインタとして前記の設定テーブルを参照しながら、各発光ダイオード１２０２、１２０４、１２０６に対する各発光強度データをヘッドランプ１２の発光色が車両の仕向け地に適合する発光色となるように設定する。
【００２８】
このように設定された各発光強度データが出力インターフェース２２１２を通して、対応するそれぞれの各パルス信号発生部２４、２６、２８に供給される。すると、各パルス信号発生部２４、２６、２８からは、それぞれの発光強度データでパルス幅変調されたデューティー比のパルス信号が出力される。
これらの各パルス信号を、対応する各スイッチング部１６、１８、２０に加えて、これら各スイッチング部を前記デューティー比でスイッチング動作させる。
これにより、各発光ダイオード１２０２、１２０４、１２０６を前記デューティー比に応じた発光強度で発光させれば、ヘッドランプ１２の発光色、すなわち色味を車両の仕向け地に合わせて変えることができる。
【００２９】
以上説明したように、本実施の形態によれば、発光強度データ設定手段で設定された発光強度データに基づいてヘッドランプ１２を構成する各発光ダイオードに供給される電流を制御することでヘッドランプ１２の発光色の色味を変化させるようにした。
したがって、ヘッドランプ１２の発光色を車両の運転環境や車両状況にあった色味にすることができるので、ヘッドランプ１２の発光色の色味を法規で許可されている範囲内で有効に活用する上で有利となる。
【００３０】
上記実施の形態では、雨滴センサー３０、日射センサー３２、侵入センサー３４、画像センサー３６、照度センサー３８及びナビゲーションユニット４０からの情報を基にヘッドランプ１２の発光色を制御する場合について説明した。
しかしながら、本発明はこれに限らず、マイクロコンピュータ２２に接続されたキーボード等の入力部から発光色指令情報を入力することにより、ヘッドランプ１２の発光色を設定することが可能である。
これにより、ヘッドランプ１２の発光色を車両使用者の好みの色味にカスタマイズでき、車両の運転の快適性を向上することができる。
また、本発明においては、ヘッドランプ１２を構成するフルカラー用ＬＥＤは１個に限らず、複数個用いた構成することも可能である。
【符号の説明】
【００３１】
１２…ヘッドランプ、１２０２…赤色発光ダイオード、１２０４…緑色発光ダイオード、１２０６…青色発光ダイオード、１４…直流電源部、１６…赤色用スイッチング部、１８…緑色用スイッチング部、２０…青色用スイッチング部、２２…マイクロコンピュータ、２４…赤色用パルス信号発生部、２６…緑色用パルス信号発生部、２８…青色用パルス信号発生部、３０…雨滴センサー、３２…日射センサー、３４…侵入センサー、３６…画像センサー、３８…照度センサー、４０…ナビゲーションユニット、１００…スイッチング部、２００…信号発生部。
【図１】
0005434615.tif 000002
【図２】
0005434615.tif 000003